(57)【要約】【課題】印刷媒体が巻回されたロールを適切に装着することが可能な印刷装置を提供する。【解決手段】印刷装置は、本体部２、カバー３、移動可能な支持部４１、カバー３が閉塞した状態で支持部４１の移動を規制したロック位置に配置され、カバー３が開放した状態で支持部４１の移動を規制しないアンロック位置に配置されるロック部材５、ロック部材５が係合可能な係合部５３を備える。ロック部材５は、閉塞した状態のカバー３と対向する対向面４１３から突出しない位置に配置された当接部５６を有する。カバー３は、当接部５６に当接可能な突起部３４を有する。ロック部材５は、カバー３が開放した状態で、突起部３４から離間したアンロック位置に配置され、カバー３が開放した状態から閉塞する過程でカバー３の突起部３４が当接部５６に当接し、アンロック位置から、係合部５３に係合したロック位置に切り替わる。【選択図】図１０
2019181764.tif 000002
【特許請求の範囲】
【請求項１】
印刷媒体に印刷を行う印刷装置であって、
前記印刷媒体が巻回されたロールを収容し、前記ロールの幅方向である第１方向と交差する第２方向の一方側が開口する収容部を有する本体部と、
前記収容部の開口を開閉可能に覆うカバーと、
前記収容部に設けられ、前記ロールのうち前記第１方向の両側を支持する一対の支持部であって、少なくとも一方が前記第１方向に移動可能な一対の支持部と、
前記一対の支持部のうち移動可能な移動支持部に設けられたロック部材であって、
前記カバーが閉塞した状態で、前記移動支持部の移動を規制したロック位置に配置され、
前記カバーが開放した状態で、前記移動支持部の移動を規制しないアンロック位置に配置されるロック部材と、
前記収容部に設けられ、前記ロック部材が係合可能な係合部と
を備え、
前記ロック部材は、
前記移動支持部のうち、閉塞した状態の前記カバーと対向する対向面から突出しない位置、且つ、前記ロールの前記第１方向の側部と接触する接触面を含む第１面と反対側の第２面側に配置された当接部を有し、
前記カバーは、
前記当接部に当接可能な突起部を有し、
前記ロック部材は、
前記カバーが開放した状態で、前記係合部から離間した前記アンロック位置に配置され、
前記カバーが開放した状態から閉塞する過程で前記カバーの前記突起部が前記当接部に当接して押圧されることで、前記アンロック位置から、前記係合部に係合した前記ロック位置に切り替わることを特徴とする印刷装置。
【請求項２】
前記ロック部材を、前記ロック位置から前記アンロック位置に向けて付勢する付勢部材を更に備えたことを特徴とする請求項１に記載の印刷装置。
【請求項３】
前記ロック部材は、
前記移動支持部の側面に、支軸を中心として揺動可能に支持され、前記当接部を有する第１ロック部材と、
前記移動支持部に移動可能に支持され、前記第１ロック部材の揺動に連動して移動し、前記係合部と係合可能な被係合部を有する第２ロック部材と
を備えたことを特徴とする請求項１又は２に記載の印刷装置。
【請求項４】
前記当接部は、弾性変形可能な当接片を有することを特徴とする請求項１から３の何れかに記載の印刷装置。
【請求項５】
前記移動支持部は、
前記対向面に設けられ、閉塞した状態の前記カバー側と反対側に凹んだ凹部を有し、
前記当接部は、
前記移動支持部の前記対向面から突出せず、且つ、前記凹部から突出することを特徴とする請求項１から４の何れかに記載の印刷装置。
【請求項６】
前記移動支持部は、前記第１面のうち前記接触面よりも前記第２方向の一方側の部分に、指掛け部が設けられたことを特徴とする請求項１から５の何れかに記載の印刷装置。
【請求項７】
前記移動支持部は、前記第１面のうち前記接触面よりも前記第２方向の一方側の部分に、前記接触面に対して傾斜した傾斜部が設けられ、
前記傾斜部は、
前記第２方向の他方側に向かうにつれて、前記第１面側に傾斜したことを特徴とする請求項１から６の何れかに記載の印刷装置。
【請求項８】
印刷媒体に印刷を行う印刷装置であって、
前記印刷媒体が巻回されたロールを収容し、前記ロールの幅方向である第１方向と交差する第２方向の一方側が開口する収容部を有する本体部と、
前記収容部の開口を開閉可能に覆うカバーと、
前記収容部に設けられ、前記ロールのうち前記第１方向の両側を支持する一対の支持部であって、少なくとも一方が前記第１方向に移動可能な一対の支持部と、
前記一対の支持部のうち移動可能な移動支持部に設けられたロック部材であって、
前記カバーが閉塞した状態で、前記移動支持部の移動を規制したロック位置に配置され、
前記カバーが開放した状態で、前記移動支持部の移動を規制しないアンロック位置に配置されるロック部材と、
前記収容部に設けられ、前記ロック部材が係合可能な係合部と
を備え、
前記ロック部材は、
前記移動支持部のうち、閉塞した状態の前記カバーと対向する対向面から突出する第１位置、且つ、前記ロールの前記第１方向の側部と接触する接触面を含む第１面と反対側の第２面側に配置された当接部を有し、
前記カバーは、
前記当接部に当接可能な突起部を有し、
前記ロック部材は、
前記カバーが開放した状態で、前記係合部から離間した前記アンロック位置に配置され、
前記カバーが開放した状態から閉塞する過程で前記カバーの前記突起部が前記当接部に当接して押圧し、前記当接部を前記第１位置から、前記対向面よりも前記第２方向の他方側の位置である第２位置に移動させることで、前記アンロック位置から、前記係合部に係合した前記ロック位置に切り替わることを特徴とする印刷装置。
【請求項９】
前記当接部が、前記第１位置から前記対向面と同一高さの位置である第３位置に移動したときには、前記ロック部材は前記アンロック位置に維持され、
前記当接部が、前記第３位置から前記第２位置に移動したときに、前記ロック部材は、前記アンロック位置から前記ロック位置に切り替わる
ことを特徴とする請求項８に記載の印刷装置。
【発明の詳細な説明】
【技術分野】
【０００１】
本発明は、印刷装置に関する。
【背景技術】
【０００２】
印刷媒体が巻回されたロールを内部に保持し、ロールから印刷媒体を繰り出して印刷を行う印刷装置が知られている。特許文献１に記載されたラベルプリンタは、一対のガイド部材及びガイドロック機構を備える。一対のガイド部材は、用紙の幅方向の位置を両側から規制する。一対のガイド部材は、一対のラック及びピニオンギアにより、互いに連動して幅方向に移動可能である。ガイドロック機構は、筐体の上面カバーの開閉に応じて回動する回転ロッドを有する。回転ロッドは、上面カバーが閉じたときにピニオンギアをロックさせ、一対のガイド部材の移動を規制する。
【先行技術文献】
【特許文献】
【０００３】
【特許文献１】特開２０１３−１５４５８０号公報
【発明の概要】
【発明が解決しようとする課題】
【０００４】
ユーザは、印刷装置に対してロールを装着する操作を行う際、ロールの幅に合わせて一対のガイド部材を幅方向に移動させる。ここで、ユーザによる操作の過程で誤ってガイドロック機構が作動し、一対のガイド部材の移動が規制される場合がある。この場合、ロールを印刷装置に装着できなくなる可能性があるという問題点がある。
【０００５】
本発明の目的は、印刷媒体が巻回されたロールを適切に装着することが可能な印刷装置を提供することである。
【課題を解決するための手段】
【０００６】
本発明の第１態様に係る印刷装置は、印刷媒体に印刷を行う印刷装置であって、前記印刷媒体が巻回されたロールを収容し、前記ロールの幅方向である第１方向と交差する第２方向の一方側が開口する収容部を有する本体部と、前記収容部の開口を開閉可能に覆うカバーと、前記収容部に設けられ、前記ロールのうち前記第１方向の両側を支持する一対の支持部であって、少なくとも一方が前記第１方向に移動可能な一対の支持部と、前記一対の支持部のうち移動可能な移動支持部に設けられたロック部材であって、前記カバーが閉塞した状態で、前記移動支持部の移動を規制したロック位置に配置され、前記カバーが開放した状態で、前記移動支持部の移動を規制しないアンロック位置に配置されるロック部材と、前記収容部に設けられ、前記ロック部材が係合可能な係合部とを備え、前記ロック部材は、前記移動支持部のうち、閉塞した状態の前記カバーと対向する対向面から突出しない位置、且つ、前記ロールの前記第１方向の側部と接触する接触面を含む第１面と反対側の第２面側に配置された当接部を有し、前記カバーは、前記当接部に当接可能な突起部を有し、前記ロック部材は、前記カバーが開放した状態で、前記係合部から離間した前記アンロック位置に配置され、前記カバーが開放した状態から閉塞する過程で前記カバーの前記突起部が前記当接部に当接して押圧されることで、前記アンロック位置から、前記係合部に係合した前記ロック位置に切り替わることを特徴とする。
【０００７】
印刷装置は、ロールの幅に合わせて移動支持部を第１方向に移動させることで、一対の支持部によりロールを第１方向の両側から支持する。又、ロック部材は、ロールの装着時にロールの幅に合わせて移動支持部を移動できるように、カバーが開放した状態のときにアンロック位置に配置される。一方、ロック部材は、印刷動作時にロールが収容部に安定的に保持できるように、カバーが閉塞した状態のときにロック位置に配置される。なお、ロック部材は、ロック部材の当接部にカバーの突起部が接触することにより、アンロック位置からロック位置に切り替わる。ここで、当接部は、移動支持部のうち対向面から突出しない位置、且つ第２面側に配置される。このため、ユーザによるロールの装着時に誤ってロールやユーザの手等が当接部に接触し、ロック部材がロック位置に移動することが防止される。つまり、移動支持部の移動が可能な状態は、カバーが開放した状態で安定的に維持される。このためユーザは、移動支持部を第１方向に容易に移動させてロールを装着できる。
【０００８】
第１態様において、前記ロック部材を、前記ロック位置から前記アンロック位置に向けて付勢する付勢部材を更に備えてもよい。付勢部材は、カバーが閉塞した状態から開放する過程で、ロック部材をロック位置からアンロック位置に切り替えることができる。なお、ロック部材は、アンロック位置に配置された状態で、係合部から離間する。このためユーザは、カバーを開放する操作を行うだけで、移動支持部の移動が規制された状態を確実に解除し、移動支持部を移動可能にできる。
【０００９】
第１態様において、前記ロック部材は、前記移動支持部の側面に、支軸を中心として揺動可能に支持され、前記当接部を有する第１ロック部材と、前記移動支持部に移動可能に支持され、前記第１ロック部材の揺動に連動して移動し、前記係合部と係合可能な被係合部を有する第２ロック部材とを備えてもよい。印刷装置は、カバーが閉塞する過程で、第１ロック部材の当接部をカバーの突起部に当接させることができる。又、印刷装置は、突起部が当接部に当接したことに応じて第１ロック部材が揺動した場合、この揺動に応じて第２ロック部材を移動させ、被係合部を係合部に係合させることができる。このように、印刷装置は、カバーの閉塞に応じてアンロック位置からロック位置に切り替えられるロック部材を、第１ロック部材と第２ロック部材によって容易に実現できる。
【００１０】
第１態様において、前記当接部は、弾性変形可能な当接片を有してもよい。カバーが閉塞した状態で、カバーの組み付け誤差などによる突起部の位置のばらつきを、当接片が弾性変形することで吸収できる。
【００１１】
第１態様において、前記移動支持部は、前記対向面に設けられ、閉塞した状態の前記カバー側と反対側に凹んだ凹部を有し、前記当接部は、前記移動支持部の前記対向面から突出せず、且つ、前記凹部から突出してもよい。印刷装置は、カバーが閉塞する場合において、凹部から突出する当接部に対して突起部を適切に当接させ、当接部を押圧できる。又、凹部は対向面に対して凹んだ形状を有するので、ユーザによるロールの装着時に誤って当接部に接触することを防止できる。
【００１２】
第１態様において、前記移動支持部は、前記第１面のうち前記接触面よりも前記第２方向の一方側の部分に、指掛け部が設けられてもよい。この場合、ユーザは、指掛け部に指を引掛けて移動支持部を移動させるときに、指が滑ってしまうことを抑制できる。従って、印刷装置は、移動支持部の操作時における利便性を向上させることができる。
【００１３】
第１態様において、前記移動支持部は、前記第１面のうち前記接触面よりも前記第２方向の一方側の部分に、前記接触面に対して傾斜した傾斜部が設けられ、前記傾斜部は、前記第２方向の他方側に向かうにつれて、前記第１面側に傾斜してもよい。例えばユーザが、ロールの端部を傾斜部に当接させて力を付与した場合、移動支持部は第２面側に移動し、一対の支持部の間の間隔は広がる。このためユーザは、移動支持部を指で直接操作しなくても、一対の支持部の間の間隔を容易に広げることができる。
【００１４】
本発明の第２態様に係る印刷装置は、印刷媒体に印刷を行う印刷装置であって、前記印刷媒体が巻回されたロールを収容し、前記ロールの幅方向である第１方向と交差する第２方向の一方側が開口する収容部を有する本体部と、前記収容部の開口を開閉可能に覆うカバーと、前記収容部に設けられ、前記ロールのうち前記第１方向の両側を支持する一対の支持部であって、少なくとも一方が前記第１方向に移動可能な一対の支持部と、前記一対の支持部のうち移動可能な移動支持部に設けられたロック部材であって、前記カバーが閉塞した状態で、前記移動支持部の移動を規制したロック位置に配置され、前記カバーが開放した状態で、前記移動支持部の移動を規制しないアンロック位置に配置されるロック部材と、前記収容部に設けられ、前記ロック部材が係合可能な係合部とを備え、前記ロック部材は、前記移動支持部のうち、閉塞した状態の前記カバーと対向する対向面から突出する第１位置、且つ、前記ロールの前記第１方向の側部と接触する接触面を含む第１面と反対側の第２面側に配置された当接部を有し、前記カバーは、前記当接部に当接可能な突起部を有し、前記ロック部材は、前記カバーが開放した状態で、前記係合部から離間した前記アンロック位置に配置され、前記カバーが開放した状態から閉塞する過程で前記カバーの前記突起部が前記当接部に当接して押圧し、前記当接部を前記第１位置から、前記対向面よりも前記第２方向の他方側の位置である第２位置に移動させることで、前記アンロック位置から、前記係合部に係合した前記ロック位置に切り替わることを特徴とする。
【００１５】
第２態様によれば、第１態様と同様の効果を奏することができる。又、印刷装置は、カバーの突起部を当接部に確実に当接させ、当接部を確実に押圧できるので、ロック部材をアンロック位置からロック位置に適切に切り替えることができる。
【００１６】
第２態様において、前記当接部が、前記第１位置から前記対向面と同一高さの位置である第３位置に移動したときには、前記ロック部材は前記アンロック位置に維持され、前記当接部が、前記第３位置から前記第２位置に移動したときに、前記ロック部材は、前記アンロック位置から前記ロック位置に切り替わってもよい。この場合、例えばユーザが当接部に接触することに応じて当接部が第３位置に移動した場合でも、ロック部材はアンロック位置で維持される。このため、印刷装置は、ロック部材が意図せずロック位置に移動することを抑制できる。
【図面の簡単な説明】
【００１７】
【図１】カバー３が閉塞した状態の印刷装置１の斜視図である。
【図２】カバー３が開放した状態で、且つ前覆部２Ｂを取り外した状態の印刷装置１の斜視図である。
【図３】本体部２の底部２Ａ及びフレーム８を示す斜視図である。
【図４】図２のＡ−Ａ線を矢印方向から見た断面図（（Ａ）フレーム８なし、（Ｂ）フレーム８あり）である。
【図５】収容部２４を示す斜視図である。
【図６】一対の支持部４、ロック部材５、６、及び、調節機構７を示す斜視図である。
【図７】支持部４１、ロック部材５、及び、回転板４３の斜視図である。
【図８】調節機構７の正面図である。
【図９】支持部４１、ロック部材５、及び、回転板４３の側面図である。
【図１０】カバー３が開放した状態におけるロック部材５等を示す断面図である。
【図１１】カバー３が閉塞した状態におけるロック部材５等を示す断面図である。
【図１２】フレーム８の側板８Ａによる変形抑制の効果を説明するための模式図である。
【図１３】第１位置に配置された状態の当接部５６を示す側面図である。
【発明を実施するための形態】
【００１８】
以下、本発明の一実施形態について、図面を参照して説明する。印刷装置１は、ＵＳＢ（登録商標）ケーブルを介して外部端末（図示略）に接続可能である。印刷装置１は、外部端末から受信した印刷データに基づいて、印刷媒体に文字、図形等のキャラクタを印刷できる。印刷媒体は感熱ラベルである。外部端末は汎用のパーソナルコンピュータ（ＰＣ）である。印刷装置１は、電池駆動が可能である。印刷装置１は、例えばベルトクリップ（図示略）を介して腰ベルトに装着されることによって、作業中のユーザに携帯されて使用される。図１の右下側、左上側、右上側、左下側、上側、及び下側を、それぞれ、印刷装置１の右側、左側、後側、前側、上側、及び下側と定義する。
【００１９】
＜本体部２＞
図１に示すように、印刷装置１は、本体部２及びカバー３を備える。本体部２は、略直方体の箱状である。本体部２は、底部２Ａ及び前覆部２Ｂを有する。底部２Ａは、印刷装置１の内部領域を下側から覆う。前覆部２Ｂは、印刷装置１の内部領域のうち前側略半分を上側から覆う。図２は、カバー３が開放した状態、且つ前覆部２Ｂを取り外した状態の印刷装置１を示す。図２に示すように、底部２Ａのうち後側略半分の部分に、収容部２４が設けられる。収容部２４の上側は、本体部２に形成された開口部２０によって開口する。収容部２４には、ロールＭが収容される。ロールＭは、感熱ラベルが貼付された台紙（以下、「テープ」という。）が筒状の芯に巻回されて構成される。
【００２０】
本体部２のうち開口部２０の前端部に、切断刃２６Ａが設けられる。切断刃２６Ａは、テープのうち印刷された部分を切り離すことができる。切断刃２６Ａの下側に、サーマルヘッド２６Ｂ（図５参照）が設けられる。サーマルヘッド２６Ｂは、加熱により感熱ラベルにキャラクタを印刷する。切断刃２６Ａ及びサーマルヘッド２６Ｂは、それぞれ左右方向に延びる。本体部２のうち開口部２０の左右両端部に係止部２５が設けられる。各係止部２５は、それぞれの下端が揺動可能に支持される。本体部２の右側面に設けられたレバー２３（図１参照）がユーザによって押し下げられた場合、各係止部２５の上端部は後方に揺動する。
【００２１】
図３に示すように、底部２Ａは、底壁２７Ａ、及び側壁２７Ｂ、２７Ｃ、２７Ｄを有する。底壁２７Ａは、本体部２の下側の壁部に対応する。底壁２７Ａの前端近傍に、上側に湾曲した凸部２７１が形成される。凸部２７１の下側に、印刷装置１を駆動するための電池（非図示）が収容される。側壁２７Ｂ、２７Ｃ、２７Ｄは、それぞれ、底壁２７Ａの右端部、左端部、後端部から上側に向けて延びる。
【００２２】
底壁２７Ａの上面のうち凸部２７１の右側且つ側壁２７Ｂの左側に、リブ２８が設けられる。リブ２８は、延設部２８Ａ、２８Ｂ、２８Ｃ、２８Ｄを有する。延設部２８Ａ〜２８Ｄは、それぞれ略板状を有し、底壁２７Ａから上側に向けて延びる。図４（Ａ）に示すように、延設部２８Ａは前後方向と直交し、側壁２７Ｂから左側に向けて延びる。延設部２８Ｂは左右方向と直交し、延設部２８Ａの左端部よりも僅かに右側から前側に向けて延びる。延設部２８Ａの左端部は、延設部２８Ｂよりも左側に突出する。以下、延設部２８Ａの左端部であって延設部２８Ｂよりも左側に突出する部分を、「突出部２８１」という。延設部２８Ｃは前後方向と直交し、延設部２８Ｂの前端部から左右両側に向けて延びる。延設部２８Ｃの右端部は側壁２７Ｂと接続する。延設部２８Ｄは左右方向と直交し、延設部２８Ｃの左端部から後側に向けて延びる。延設部２８Ｂ、２８Ｄは、左右方向に離隔し、互いに平行に延びる。延設部２８Ａの突出部２８１と延設部２８Ｄとの間に、隙間が形成される。図３に示すように、延設部２８Ｃ、２８Ｄの上端部の上下方向の位置は、延設部２８Ａ、２８Ｂの上端部よりも下側に配置される。言い換えれば、延設部２８Ｃ、２８Ｄの上端部の上下方向の高さは、延設部２８Ａ、２８Ｂの上端部の高さよりも低い。
【００２３】
図２に示すように、本体部２の底壁２７Ａと前覆部２Ｂ（図１参照）とで上下方向から挟まれた領域に、フレーム８が固定される。フレーム８は、ガラス繊維などが含有された繊維強化合成樹脂から形成されている。一方、本体部２は、ガラス繊維などは含有されていない一般的な合成樹脂から形成されている。従って、フレーム８は、本体部２よりも剛性が高い。なお、カバー３については、本体部２と同じ合成樹脂から形成されている。フレーム８は、非図示の制御基板、通信基板、電源基板、モータ、サーマルヘッド２６Ｂ（図５参照）が保持されるヘッドホルダ等を支持する。図３に示すように、フレーム８は、側板８Ａ、８Ｂ、及び架設部８Ｃを有する。側板８Ａ、８Ｂは、それぞれ略板状を有し、左右方向と直交する。側板８Ａ、８Ｂは、左右方向に離隔する。側板８Ａは、底部２Ａの側壁２７Ｂの右側に配置される。側板８Ｂは、底部２Ａの側壁２７Ｃの左側に配置される。側板８Ａ、８Ｂのそれぞれの上端部のうち前後方向中央よりも後側部分に、下方に凹んだ凹部８０が設けられる。架設部８Ｃは側板８Ａ、８Ｂのそれぞれの前後方向中央よりも前側部分の間に架設される。
【００２４】
側板８Ａの下端部のうち前後方向略中央の位置に、上側に凹んだ凹部８１が設けられる。凹部８１は、底部２Ａのリブ２８のうち延設部２８Ｃに上側から係合する。図４（Ｂ）に示すように、側板８Ａのうち凹部８１よりも前側の前部８２は、リブ２８の延設部２８Ｃよりも前側に配置される。側板８Ａのうち凹部８１よりも後側の後部８３は、リブ２８の延設部２８Ｃよりも後に配置される。後部８３は、リブ２８の延設部２８Ｂ、２８Ｄの間に配置され、延設部２８Ｂ、２８Ｄと平行に延びる。突出部２８１及び延設部２８Ｄは、後部８３の一部を左右両側から挟む。
【００２５】
＜カバー３＞
図１、図２に示すように、カバー３は、本体部２の側壁２７Ｄの上端部に回転可能に支持される。カバー３は、後端部を中心に、閉塞状態（図１参照）と開放状態（図２参照）との間を揺動可能である。カバー３は、閉塞状態の場合に開口部２０の下側の収容部２４を上側から覆う（図１参照）。カバー３は、開放状態の場合に開口部２０の下側の収容部２４を開放する（図２参照）。図２に示すように、カバー３は、付勢部材３０によって、閉塞状態から開放状態に揺動する向きに付勢される。以下では、閉塞状態のカバー３（図１参照）を基準とし、印刷装置１の各方向をカバー３に適用する。
【００２６】
図２に示すように、カバー３の前端部にプラテンホルダ３３が設けられる。プラテンホルダ３３は、プラテンローラ３１を回転可能に支持する。プラテンローラ３１の回転軸は左右方向に延びる。プラテンローラ３１の回転軸の左右両端部から左右外側に向けて、円筒状の軸受３２がそれぞれ延びる。フレーム８の各凹部８０は、カバー３を閉塞状態とした場合、対応する軸受３２を下側から受ける。又、各係止部２５は、カバー３を閉塞状態とした場合、対応する軸受３２に上側から係止する。この場合、カバー３は閉塞状態で維持される（図１参照）。カバー３が閉塞状態のときにレバー２３（図１参照）が押し下げられた場合、各係止部２５は、対応する軸受３２から外れる。カバー３は、付勢部材３０の付勢力によって閉塞状態（図１参照）から開放状態（図２参照）まで揺動する。
【００２７】
図１に示すように、カバー３が閉塞状態のとき、サーマルヘッド２６Ｂ（図５参照）とプラテンローラ３１（図２参照）とは互いに近接する。プラテンローラ３１は、サーマルヘッド２６Ｂとの間にテープが配置された場合、サーマルヘッド２６Ｂ（図５参照）に向けてテープを押し付ける。プラテンローラ３１は、非図示のモータの駆動により回転することで、サーマルヘッド２６Ｂにテープを押し付けながら搬送する。カバー３が閉塞状態のとき、切断刃２６Ａとプラテンローラ３１との間には、排出口２６Ｃが形成される。排出口２６Ｃは、印刷装置１の内部で印刷されたテープを外部に排出する。
【００２８】
図２に示すように、カバー３には、突起部３４、３５が設けられる。突起部３４、３５は、閉塞状態のカバー３において、プラテンホルダ３３よりも後側の位置に設けられる。突起部３４は、カバー３の左右方向中央よりも左側に設けられる。突起部３５は、カバー３の左右方向中央よりも右側に設けられる。突起部３４、３５は、それぞれ左右方向に一直線状に延び、互いに左右方向に離隔する。突起部３４、３５間の間隔Ｌｍは、印刷装置１に装着可能なロールＭのうち最小幅のロールＭの幅方向の長さよりも短い。突起部３４、３５は、閉塞状態のカバー３の下面から下側に向けて突出する。
【００２９】
＜ホルダ１０＞
図５に示すように、収容部２４にホルダ１０が固定される。ホルダ１０は、ロールＭの幅方向が左右方向を向いた状態で、ロールＭを回転可能に保持する。ホルダ１０は、固定部１０Ａ、１０Ｂ、支持部４１、４６（「一対の支持部４」という。）、ロック部材５、６、回転板４３（図２参照）、４８、及び、調節機構７（図６参照）等を有する。
【００３０】
固定部１０Ａ、１０Ｂは、それぞれ略板状である。固定部１０Ａは、フレーム８の架設部８Ｃの後側に配置され、前端部から後端部に向けて斜め下側に延びる。固定部１０Ａは、左右方向に延びる溝１０１、１０２（図８参照）を有する。溝１０１、１０２は左右方向に一直線状に並ぶ。溝１０２は、溝１０１の右側に配置される。溝１０１、１０２は、左右方向に離隔する。
【００３１】
固定部１０Ｂは、固定部１０Ａの後端部に接続する。固定部１０Ｂは、本体部２の底部２Ａに沿って水平に延びる。固定部１０Ｂは、係合部５３、５４を有する。係合部５３、５４は、それぞれ、左右方向に配列され且つそれぞれが前後方向に延びる複数の歯を有する。係合部５３、５４は左右方向に一直線状に並ぶ。係合部５３、５４は、左右方向に離隔する。係合部５４は、係合部５３に対して右側に配置される。
【００３２】
＜一対の支持部４＞
図５に示すように、一対の支持部４は、固定部１０Ａの後側に配置される。一対の支持部４は左右方向に対向する。一対の支持部４は、ロールＭの左右方向の両側を支持する。支持部４１は、ロールＭの左側部を支持する。支持部４６は、ロールＭの右側部を支持する。支持部４６は、支持部４１に対して右側に配置される。図６に示すように、支持部４１、支持部４６は、互いに左右対称である。以下では、支持部４１について詳細に説明し、支持部４６の説明は簡略化する。支持部４１は、基部４１Ａ、延伸部４１Ｂ、及び、突出部４１Ｃを有する。支持部４６の基部４６Ａ、延伸部４６Ｂ、及び、突出部４６Ｃは、それぞれ、支持部４１の基部４１Ａ、延伸部４１Ｂ、及び、突出部４１Ｃに対応する。
【００３３】
図７に示すように、基部４１Ａは、それぞれが板状の内側面４１１、外側面４１２、対向面４１３、及び傾斜面４１４を有する。内側面４１１は、基部４１Ａの右端部に設けられ、左右方向と直交する。内側面４１１には、後述するロック部材５の基部５５及び回転板４３が嵌る略円形状の孔４１６が形成される。図６に示すように、内側面４１１には、後述する回転板４３に対して前斜め上側に、円弧状に延びる２つの溝（以下、「指掛け部４１０Ａ」という。）が設けられる。内側面４１１は、後述する回転板４３の右面（接触面４３Ｂ）と同一平面上に配置される。以下、基部４１Ａのうち右端部に対応する面であって内側面４１１及び接触面４３Ｂを含む面を、「第１面Ｐ１１」という。
【００３４】
図７に示すように、外側面４１２は、基部４１Ａの左端部に設けられ、左右方向と直交する。外側面４１２は、内側面４１１の孔４１６を左側から覆う。外側面４１２のうち内側面４１１の左側部分に孔４１７（図５参照）が形成される。以下、基部４１Ａのうち第１面Ｐ１１と反対側の面であって外側面４１２を含む面を、「第２面Ｐ１２」（図５参照）ともいう。
【００３５】
対向面４１３は、上下方向と直交し、内側面４１１の上端部のうち前端近傍から左側に向けて延びる。対向面４１３は、閉塞状態のカバー３と上下方向に対向する。対向面４１３の前端近傍に、側面視略Ｕ字状に下側に凹んだ凹部４１０Ｂが形成される（図９参照）。凹部４１０Ｂの凹む方向は、対向面４１３に対して閉塞状態のカバー３が配置される側と反対側に対応する。凹部４１０Ｂの下端は、印刷装置１に装着可能なロールＭのうち最大径のロール（例えば未使用のロール）を装着したとき、ロールの外周面よりも上方にある。の直径よりも小さい。又、凹部４１０Ｂの開口の幅は、カバー３の突起部３４、３５の前後方向の最大長さ（幅）よりも大きい。
【００３６】
図６に示すように、傾斜面４１４は、対向面４１３の後端部から後側に向けて、後斜め下側に傾斜して延びる。傾斜面４１４の左右方向の長さは、後端部に向かうに従って小さくなる。第１面Ｐ１１は、内側面４１１のうち傾斜面４１４との接続部分に傾斜部４１５を有する。傾斜部４１５は、回転板４３の接触面４３Ｂに対して上側に配置され、接触面４３Ｂに対して傾斜する。傾斜部４１５に沿って第２面Ｐ１２側から第１面Ｐ１１側に向けて延びる方向は、右斜め下側に延びる。言い換えれば、傾斜部４１５に沿って第２面Ｐ１２側の端部から延びる方向は、下側に向かうにつれて、第１面Ｐ１１側に傾斜する。
【００３７】
図７に示すように、延伸部４１Ｂは、基部４１Ａの前端部のうち上下方向略中央よりも下側の部分から、前斜め下側に向けて延びる。延伸部４１Ｂは、後述するロック部材５の一部（第１ロック部材５１の突出部５７Ａ、及び、第２ロック部材５２の基部５８）が挿通する孔４１８、４１９を有する。孔４１８の開口部は、延伸部４１Ｂの下端部に形成される。孔４１８は、延伸部４１Ｂの下端部から前斜め上側に延びる。孔４１９の開口部は、延伸部４１Ｂの右端部に形成される。孔４１９は、延伸部４１Ｂの右端部から左側に延びる。孔４１９は、延伸部４１Ｂの内部で孔４１８に接続する。
【００３８】
突出部４１Ｃは、延伸部４１Ｂの前斜め下側の端部から、前斜め下側に向けて突出する。突出部４１Ｃは、固定部１０Ａ（図８参照）に設けられた溝１０１（図８参照）に後側から挿通し、固定部１０Ａよりも前側に突出する。
【００３９】
図６に示すように、支持部４６の基部４６Ａのうち、内側面４６１、外側面４６２、対向面４６３、傾斜面４６４、傾斜部４６５、孔４６６、４６７、指掛け部４６０Ａ（図５参照）、凹部４６０Ｂ、第１面Ｐ２１（図５参照）、第２面Ｐ２２は、それぞれ、支持部４１の基部４１Ａのうち、内側面４１１、外側面４１２、対向面４１３、傾斜面４１４、傾斜部４１５、孔４１６、４１７、指掛け部４１０Ａ、凹部４１０Ｂ、第１面Ｐ１１、第２面Ｐ１２に対応する。第１面Ｐ２１は、内側面４６１及び回転板４８の左面（接触面４８Ｂ）（図５参照）を含む面に対応する。傾斜部４６５は、回転板４８の接触面４８Ｂに対して上側に配置され、接触面４８Ｂに対して傾斜する。傾斜部４６５に沿って第２面Ｐ２２側から第１面Ｐ２１側に向けて延びる方向は、左斜め下側に傾斜する。言い換えれば、傾斜部４６５に沿って第２面Ｐ２２側の端部から延びる方向は、下側に向かうにつれて、第１面Ｐ２１側に傾斜する。突出部４６Ｃは、固定部１０Ａ（図８参照）に設けられた溝１０２（図８参照）に後側から挿通し、固定部１０Ａよりも前側に突出する。
【００４０】
＜調節機構７＞
調節機構７は、一対の支持部４を連動して左右方向に移動させる。図８に示すように、調節機構７は、固定部１０Ａの前側に配置される。図６に示すように、調節機構７は、ラックギア７１、７２、ピニオンギア７３、支持板７４（図８参照）、引張ばね７５（図８参照）を有する。
【００４１】
ラックギア７１、７２は、上下方向に対向する。ラックギア７２は、ラックギア７１の上側に配置される。ラックギア７１、７２は、それぞれ左右方向に延びる。ラックギア７１の上端部及びラックギア７２の下端部に、歯が形成される。ラックギア７１の左端部は、支持部４１の突出部４１Ｃに接続する。ラックギア７２の右端部は、支持部４６の突出部４６Ｃに接続する。図８に示すように、ラックギア７２の上端部に、上側に突出する保持部７２１が設けられる。
【００４２】
図６に示すように、ラックギア７１、７２の間にピニオンギア７３が設けられる。ピニオンギア７３は、固定部１０Ａ（図８参照）の前側のうち溝１０１、１０２の間の部分に、回転可能に支持される。ピニオンギア７３の歯は、ラックギア７１、７２の歯に噛合する。ラックギア７１、７２は、それぞれ、ピニオンギア７３の回転に伴って左右方向に移動する。これに伴い、支持部４１、４６は、溝１０１、１０２（図８参照）に沿って左右方向に移動する。例えば、支持部４１が左側に所定量移動すると、ラックギア７１、ピニオンギア７３、及び、ラックギア７２を介して、支持部４１の移動に連動して支持部４６が右側に所定量移動する。つまり、ラックギア７１、７２、及び、ピニオンギア７３は、一対の支持部４を、互いに離隔する方向（左右方向外側）に移動させる。一方、支持部４１が右側に所定量移動すると、ラックギア７１、ピニオンギア７３、及び、ラックギア７２を介して、支持部４１の移動に連動して支持部４６が左側に所定量移動する。つまり、ラックギア７１、７２、及び、ピニオンギア７３は、一対の支持部４を、互いに接近する方向（左右方向内側）に移動させる。
【００４３】
図８に示すように、ピニオンギア７３の前側に支持板７４が固定される。支持板７４には、左側に向けて延びる延伸部７４０が設けられる。延伸部７４０の左端部に、上側に突出する保持部７４１が設けられる。支持板７４の保持部７４１と、ラックギア７２の保持部７２１との間に、引張ばね７５が引っ掛けられる。引張ばね７５は、支持部４１、４６に対し、それぞれが互いに近接する向きの付勢力を付与する。
【００４４】
＜ロック部材５、６＞
図６に示すように、ロック部材５は支持部４１に設けられ、ロック部材６は支持部４６に設けられる。ロック部材５、６は、互いに左右対称である。以下では、ロック部材５について詳細に説明し、ロック部材６の説明は省略する。
【００４５】
図７に示すように、ロック部材５は、第１ロック部材５１及び第２ロック部材５２を有する。第１ロック部材５１は板状である。第１ロック部材５１は、基部５５、当接部５６、及び、連結部５７を有する。基部５５は略円形である。基部５５の中心に孔５５Ａが形成される。孔５５Ａには螺子４４が挿通される。孔５５Ａに挿通された状態の螺子４４の軸部の中心に対応する支軸を、「支軸４４Ｃ」という。
【００４６】
当接部５６は、基部５５の前端部の近傍のうち上下方向略中央よりも上側の部分から左側に向けて延び、曲折して上側に更に延びる。当接部５６は、延伸部５６１、５６２を有する。延伸部５６１は、基部５５との接続部分から上側に向けて延びる。延伸部５６２は、延伸部５６１の上端部から、前側に向けて延びる。延伸部５６１、５６２を、「当接片５６Ａ」という。延伸部５６２に対して上側から力が作用すると、延伸部５６１が弾性変形して、延伸部５６２は下方に僅かに移動する。延伸部５６２に力が作用しなくなると、延伸部５６１の弾性変形は元に戻り、延伸部５６２も元の位置に戻る。
【００４７】
連結部５７は、基部５５の上下方向略中央よりも下側の部分から、斜め下側に向けて延びる。連結部５７は、左側に向けて突出する突出部５７Ａを先端部に有する。突出部５７Ａの形状は、略円柱状である。
【００４８】
第２ロック部材５２は、基部５８及び被係合部５９を有する。基部５８は略棒状である。基部５８は、上端部から下端部に向かうに従って後側に傾斜する向きに延びる。基部５８は、上端部近傍に孔５８Ａを有する。孔５８Ａは、基部５８を左右方向に貫通する。被係合部５９は、基部５８の下端部に設けられる。被係合部５９は、下端部に歯５９Ａを有する。
【００４９】
＜回転板４３、４８＞
図７に示すように、回転板４３は円形板状である。回転板４３の平面は、左右方向と直交する。回転板４３は、第１ロック部材５１の基部５５に対して右側に配置される。回転板４３は、支持部４１の基部４１Ａとの間に第１ロック部材５１の基部５５を挟む。回転板４３の中心に孔４３Ａが形成される。孔４３Ａには螺子４４が挿通される。図２に示すように、回転板４３の右面（以下、「接触面４３Ｂ」という。）は、ロールＭの左側部に接触し、ロールＭを回転可能に保持する。図７に示すように、回転板４３の直径は、第１ロック部材５１の基部５５の直径と略同一である。図５に示すように、回転板４８は円形板状である。回転板４８の平面は、左右方向と直交する。回転板４８の左面（以下、「接触面４８Ｂ」という。）は、ロールＭの右側部に接触し、ロールＭを回転可能に保持する。
【００５０】
＜組み付け方法＞
支持部４１、ロック部材５（第１ロック部材５１及び第２ロック部材５２）、及び、回転板４３の組み付け方法について説明する。なお、支持部４６、ロック部材６、及び、回転板４８の組み付け方法は、支持部４１、ロック部材５、及び、回転板４３の組み付け方法と同一である為、説明を省略する。
【００５１】
図９に示すように、はじめに、支持部４１の延伸部４１Ｂに設けられた孔４１８に対して、第２ロック部材５２の基部５８が下側から挿入される。孔４１８の延びる方向と、第２ロック部材５２の基部５８の延びる方向とは一致する。第２ロック部材５２は、支持部４１に対して、孔４１８に沿った方向に移動可能に支持される。
【００５２】
次に、図７に示すように、支持部４１に対して第１ロック部材５１が右側から近づけられる。このとき、第１ロック部材５１は、上端部を左側に傾けた状態で、支持部４１に対して右斜め下側から左斜め上方向に移動される。これにより、支持部４１の孔４１６、４１７に当接部５６が挿通される。当接部５６は、支持部４１の内側面４１１の左側に回り込む。次に、第１ロック部材５１の向きが元に戻される。第１ロック部材５１の基部５５は、支持部４１の内側面４１１の孔４１６に嵌る。外側面４１２の右側面に、第１ロック部材５１の基部５５が近接して配置される。当接部５６は、支持部４１の第２面Ｐ１２側に配置される。更に、図９に示すように、支持部４１の延伸部４１Ｂに設けられた孔４１９に対して、第１ロック部材５１の連結部５７の突出部５７Ａ（図７参照）が右側から挿入される。同時に、連結部５７の突出部５７Ａ（図７参照）は、支持部４１の延伸部４１Ｂの内部で、第２ロック部材５２の基部５８の孔５８Ａ（図７参照）に右側から挿入される。これによって、第１ロック部材５１の連結部５７は第２ロック部材５２に連結される。次に、支持部４１の基部４１Ａと第１ロック部材５１の基部５５との間に、付勢部材４５が挟まれる。付勢部材４５は、圧縮コイルばねである。
【００５３】
次に、第１ロック部材５１の基部５５（図７参照）の右側面に、回転板４３が近接して配置される。第１ロック部材５１の基部５５（図７参照）は、支持部４１の基部４１Ａと回転板４３とによって、左右両側から挟まれる。回転板４３は、支持部４１の第１面Ｐ１１側に配置される。回転板４３の接触面４３Ｂは、支持部４１の内側面４１１と同一平面上に配置され、第１面Ｐ１１が形成される。なお、回転板４３の接触面４３Ｂは、支持部４１の内側面４１１よりも僅か（例えば０．２ｍｍ）に右側、即ち支持部４６に近づく側に突出していてもよい。また、支持部４６についても同様に、回転板４８の接触面４８Ｂは僅かに突出していてもよい。この場合、回転板４３の直径よりも大きなロールＭを装着したときに、ロールＭの端部は、支持部４１の内側面４１１及び支持部４６の内側面４６１に接触せず、回転板４３の接触面４３Ｂ及び回転板４８の接触面４８Ｂのみに接触するので、ロールＭがスムースに回転できる。
【００５４】
次に、回転板４３の中心の孔４３Ａ（図７参照）に、螺子４４が右側から挿通される。螺子４４は、第１ロック部材５１の基部５５の孔５５Ａ（図７参照）を通過し、支持部４１の基部４１Ａに螺合される。第１ロック部材５１及び回転板４３は、螺子４４の軸部の中心に対応する支軸４４Ｃを中心として、支持部４１の外側面４１２に揺動又は回転可能に支持される。即ち、第１ロック部材５１と回転板４３は、それぞれが独立して揺動又は回転可能に支持部４１に支持される。第１ロック部材５１の揺動に応じて、連結部５７も揺動する。この場合、連結部５７を介して連結した状態の第２ロック部材５２は、第１ロック部材５１の揺動に連動して移動する。
【００５５】
付勢部材４５は、第１ロック部材５１を、右側から見た状態（図９の状態）で時計回り方向に揺動する向きに付勢する。以下、特段限定のない限り、回転方向（時計回り方向、又は、反時計回り方向）は、右側から見た状態の方向を示す。
【００５６】
＜カバー３の開閉動作＞
以下では、カバー３の開閉時におけるロック部材５の動作について説明するが、ロック部材６の動作についても同様である。図１０は、カバー３を開放状態とした場合のロック部材５の状態を示す。図１１は、カバー３を閉塞状態とした場合のロック部材５の状態を示す。
【００５７】
図１０に示すように、カバー３を開放状態とした場合、支持部４１の対向面４１３からカバー３が離隔する。図１０（Ｂ）に示すように、第１ロック部材５１は、付勢部材４５（図７参照）の付勢力に応じて時計回り方向に揺動する（矢印Ｙ１１）。第１ロック部材５１の揺動に応じ、第１ロック部材５１の連結部５７は前斜め上側に移動する。連結部５７に連結する第２ロック部材５２の基部５８も、第１ロック部材５１の揺動に連動して前斜め上側に移動する（矢印Ｙ１２）。第２ロック部材５２の被係合部５９は、固定部１０Ｂの係合部５３に対して上側に離間する。被係合部５９の歯５９Ａは、係合部５３の歯に係合しない。このため、支持部４１の左右方向の移動は規制されず、左右方向に自由に移動可能な状態となる。以下、支持部４１が左右方向に移動可能な状態である場合におけるロック部材５の回転位置を、「アンロック位置」という。
【００５８】
更に、図１０（Ａ）に示すように、カバー３を開放状態とした場合において、当接部５６の当接片５６Ａの上端部は、上下方向において支持部４１の対向面４１３と略同一位置に配置される。つまり、当接片５６Ａは対向面４１３よりも上側に突出しない。一方、当接片５６Ａは、対向面４１３に設けられた凹部４１０Ｂよりも上側に突出する。以下、当接片５６Ａの上端部が対向面４１３と略同一位置に配置された状態における当接部５６の位置を、「第３位置」という。つまり、当接部５６が第３位置に配置された状態で、ロック部材５はアンロック位置で維持される。
【００５９】
例えばユーザは、カバー３を開放状態として支持部４１、４６を操作し、互いに離隔する方向（左右方向外側）に移動させる。次いでユーザは、支持部４１、４６の間にロールＭ（図５参照）を配置させる。ユーザが支持部４１、４６に対する操作を解除すると、支持部４１、４６は、調節機構７の引張ばね７５の付勢力によって、回転板４３、４８の間の距離がロールＭの幅と同じ長さとなるように、互いに接近する方向（左右内側方向）に移動する。回転板４３、４８の接触面４３Ｂ、４８Ｂは、ロールＭの左右両端部に接触する。その後、ユーザはカバー３を閉塞させる。
【００６０】
カバー３が開放状態から閉塞状態（図１１参照、後述）に変化する過程で、カバー３の突起部３４は当接部５６の当接片５６Ａに上側から当接する。更にカバー３が閉塞することで、突起部３４は当接部５６を下側に押圧しながら、支持部４１の対向面４１３に設けられた凹部４１０Ｂに上側から進入する。又、第１ロック部材５１は、付勢部材４５（図７参照）の付勢力に抗して反時計回り方向に揺動する。第１ロック部材５１の揺動に応じ、第１ロック部材５１の連結部５７は後斜め下側に移動する。この揺動に応じ、連結部５７に連結する第２ロック部材５２の基部５８も、第１ロック部材５１の揺動に連動して後斜め下側に移動する。
【００６１】
図１０（Ｃ）に示すように、当接片５６Ａの上端部が対向面４１３よりも下側に配置された状態まで当接部５６が移動した場合、第２ロック部材５２の被係合部５９の歯５９Ａは、係合部５３の歯に係合する。このため、支持部４１の左右方向の移動は、ロック部材５によって規制される。以下、支持部４１の左右方向への移動が規制された場合におけるロック部材５の回転位置を、「ロック位置」という。ロック部材５がアンロック位置からロック位置に切り替わる場合における当接部５６の位置（図１０（Ｃ）における当接部５６の位置）を、「第２位置」という。つまり、当接部５６が第３位置から第２位置に移動した時に、ロック部材５はアンロック位置からロック位置に切り替わる。
【００６２】
図１１（Ｂ）に示すように、カバー３が更に閉塞されることにより、第１ロック部材５１は反時計回り方向に更に揺動し（矢印Ｙ２１）、連結部５７は後斜め下側に更に移動する（矢印Ｙ２２）。連結部５７に連結する第２ロック部材５２の基部５８も後斜め下側に更に移動する。被係合部５９の歯５９Ａが係合部５３の歯に係合した状態は、カバー３が閉塞状態となるまで維持され、ロック部材５はロック位置で維持される。図１１（Ａ）に示すように、カバー３が閉塞状態となった場合、当接部５６は、第３位置（図１０（Ｃ）参照）よりも更に下側に移動した位置に配置される。つまり、カバー３が開放状態（図１０参照）から閉塞状態（図１１参照）に変化する過程で、ロック部材５はアンロック位置（図１０参照）からロック位置（図１１参照）に切り替わる。
【００６３】
カバー３が閉塞状態となり、支持部４１、４６の左右方向の移動が規制された場合、ロールＭの左右両端部に回転板４３、４８の接触面４３Ｂ、４８Ｂが接触した状態は維持される。ロールＭは、左右両側から回転可能に支持され、ロールＭに巻回された感熱ラベルに対する印刷が可能な状態になる。
【００６４】
＜本実施形態の主たる作用、効果＞
以下説明において、支持部４１、ロック部材５、突起部３４等に関する作用、効果は、適宜、支持部４６、ロック部材６、突起部３５等に関する作用、効果に適用される。印刷装置１は、ロールＭの幅に合わせて一対の支持部４を左右方向に移動させることで、一対の支持部４によりロールＭを左右方向の両側から支持する。又、ロック部材５、６は、ロールＭの装着時にロールＭの幅に合わせて一対の支持部４を移動できるように、カバー３が開放状態のときにアンロック位置に配置される。一方、ロック部材５、６は、印刷動作時にロールＭが収容部２４に安定的に保持できるように、カバー３が閉塞状態のときにロック位置に配置される。なお、ロック部材５は、カバー３の突起部３４が当接部５６に当接して押圧することにより、アンロック位置からロック位置に切り替わる。ここで、当接部５６は、支持部４１のうち対向面４１３から突出しない位置に配置される。又、当接部５６は、支持部４１のうちロールＭが配置される第１面Ｐ１１と反対の第２面Ｐ１２側に配置される。このため、ユーザによるロールＭの装着時に誤ってロールＭやユーザの指等が当接部５６に接触し、ロック部材５がロック位置に移動することが防止される。ロック部材６についても同様である。つまり、一対の支持部４の移動が可能な状態は、カバー３が開放した状態で安定的に維持される。このためユーザは、一対の支持部４を左右方向に容易に移動させてロールＭを装着できる。
【００６５】
印刷装置１は、ロック部材５をロック位置からアンロック位置に向けて付勢する付勢部材４５を備える。このため付勢部材４５は、カバー３が閉塞状態から開放状態に切り替えられる過程で、ロック部材５をロック位置からアンロック位置に移動させることができる。なお、ロック部材５の被係合部５９は、アンロック位置に配置された状態で係合部５３から離間する。ロック部材６についても同様である。このためユーザは、カバー３を開放する操作を行うだけで、一対の支持部４の移動が規制された状態を確実に解除し、一対の支持部４を移動可能にできる。
【００６６】
印刷装置１は、カバー３が閉塞する過程で、第１ロック部材５１の当接部５６にカバー３の突起部３４を当接させることができる。又、印刷装置１は、突起部３４が当接部５６に当接したことに応じて第１ロック部材５１が揺動した場合、この揺動に応じて第２ロック部材５２を移動させ、被係合部５９を係合部５３に係合させることができる。ロック部材６についても同様である。このように、印刷装置１は、カバー３の閉塞に応じてアンロック位置からロック位置に切り替えられるロック部材５、６を、第１ロック部材５１、６１と第２ロック部材５２、６２によって容易に実現できる。
【００６７】
当接部５６は、弾性変形可能な当接片５６Ａを有する。この場合、カバー３の組み付け誤差などによる突起部３４、３５の位置のばらつき、特に、閉塞状態のカバー３における突起部３４、３５下端の上下方向の位置のばらつきを、当接片５６Ａが弾性変形することで吸収できる。又、閉塞状態のカバー３に衝撃が加わった場合でも、この衝撃が当接部５６を介してロック部材５に伝わることを、当接片５６Ａが弾性変形することによって抑制できる。このため、ロック部材５の破損を防止できる。ロック部材６についても同様である。
【００６８】
支持部４１は、対向面４１３に凹部４１０Ｂを有する。ロック部材５がアンロック位置に配置された状態で、当接部５６は対向面４１３よりも上側に突出せず、且つ、凹部４１０Ｂよりも上側に突出する。この場合、印刷装置１は、カバー３が閉塞する場合において、凹部４１０Ｂから突出する当接部５６に対して突起部３４を適切に当接させ、当接部５６を押圧できる。又、凹部４１０Ｂは対向面４１３に対して凹んだ形状を有するので、ユーザによるロールＭの装着時に誤って当接部５６に接触することを防止できる。支持部４６、ロック部材６、及び、突起部３５の関係の関係についても同様である。
【００６９】
支持部４１は、第１面Ｐ１１のうち回転板４３の接触面４３Ｂよりも上側の部分に、指掛け部４１０Ａを有する。支持部４６は、第１面Ｐ２１のうち回転板４８の接触面４８Ｂよりも上側の部分に、指掛け部４６０Ａを有する。指掛け部４１０Ａ、４６０Ａは２つの溝により構成され、ユーザによる操作時において指を引掛けやすい。従ってユーザは、指掛け部４１０Ａ、４６０Ａに指を引掛けて一対の支持部４を移動させるときに、一対の支持部４から指が滑ってしまうことを抑制できる。このため印刷装置１は、一対の支持部４の操作時における利便性を向上させることができる。
【００７０】
支持部４１の内側面４１１に傾斜部４１５が設けられ、支持部４６の内側面４６１に傾斜部４６５が設けられる。傾斜部４１５、４６５は、それぞれ、左右方向の内側に対応する第１面Ｐ１１、Ｐ２１側に傾斜する。このため、例えばユーザが、ロールＭの端部を傾斜部４１５又は傾斜部４６５に当接させて力を付与した場合、支持部４１、４６は、それぞれ、左右方向の外側に対応する第２面Ｐ１２、Ｐ２２側に移動し、一対の支持部４の間の間隔は広がる。このためユーザは、支持部４１、４６を指で直接操作しなくても、一対の支持部４の間隔を容易に広げることができる。
【００７１】
上記のとおり、ユーザは、指掛け部４１０Ａ、４６０Ａに指を引掛けて一対の支持部４を広げるようにしてもよいし、傾斜部４１５又は傾斜部４６５をロールＭの端部で押すことで、一対の支持部４の間隔を広げるようにしてもよい。これより、印刷装置１は、一対の支持部４の操作時における利便性を更に向上させることができる。
【００７２】
フレーム８の側板８Ａの後部８３は、本体部２の底壁２７Ａに設けられたリブ２８の延設部２８Ｂ、２８Ｄの間に配置される。印刷装置１は、延設部２８Ｂ、２８Ｄの間にフレーム８の一部を配置させることにより、印刷装置１を誤って落下させた場合、特に、印刷装置１の右前角部を下方にして落下させた場合でも、落下における衝撃で本体部２が変形し、底部２Ａと前覆部２Ｂがずれることを抑制できる。その理由は次の通りである。
【００７３】
図１２は、正面視における、底壁２７Ａ、延設部２８Ｂ、２８Ｄ、及び側板８Ａ（側板８Ａの後部８３）のそれぞれの断面を模式的に図示し、突出部２８１の図示は省略する。図１２（Ａ）に示すように、延設部２８Ｂ、２８Ｄ間にフレーム８の側板８Ａが配置されない場合を例示する。落下時の衝撃に応じて右方向の力が作用した場合、延設部２８Ｂ、２８Ｄはそれぞれ変形する。ここで、延設部２８Ｂ、２８Ｄのそれぞれのうち底壁２７Ａに近接する部分における変形量Ｄ１よりも、延設部２８Ｂ、２８Ｄのそれぞれのうち底壁２７Ａから離隔する部分における変形量Ｄ２１の方が大きくなる。その理由は、延設部２８Ｂ、２８Ｄのそれぞれの変形量は、底壁２７Ａから離隔する程拡大されるからである。延設部２８Ｂは、延設部２８Ａと延設部２８Ｃとにより側壁２７Ｂと接続している。このため、特に底壁２７Ａから離隔する部分において、落下時の衝撃で底部２Ａと前覆部２Ｂがずれる可能性が高くなる。
【００７４】
一方、図１２（Ｂ）に示すように、延設部２８Ｂ、２８Ｄ間にフレーム８の側板８Ａが配置される場合を例示する。落下時の衝撃に応じて右方向の力が作用し、延設部２８Ｂ、２８Ｄがそれぞれ変形した場合、延設部２８Ｂ、２８Ｄのそれぞれのうち底壁２７Ａに近接する部分と離隔する部分とのそれぞれに、側板８Ａが接触する。ここで上述のように、フレーム８は本体部２よりも剛性が高い。このため、延設部２８Ｂ、２８Ｄのそれぞれのうち底壁２７Ａから離隔する部分の変形は、側板８Ａとの接触によって抑制される。即ち、延設部２８Ｂ、２８Ｄのそれぞれのうち底壁２７Ａから離隔する部分における変形量Ｄ２２は、フレーム８が設けられない場合における変形量Ｄ２１よりも小さくなる。このため、落下時の衝撃が作用しても、底部２Ａと前覆部２Ｂがずれることが抑制される。
【００７５】
このように印刷装置１は、フレーム８の側板８Ａを下方に延伸し、延設部２８Ｂ、２８Ｄの間に配置させている。これにより、落下時の衝撃を受けても、底部２Ａと前覆部２Ｂがずれることが抑制される。
【００７６】
＜変形例＞
例えば図１３に示すように、カバー３が開放状態の時、当接部５６の当接片５６Ａの上端部は対向面４１３よりも上側に突出してもよい。以下、当接片５６Ａの上端部が対向面４１３よりも上側に突出した状態における当接部５６の位置を、「第１位置」という。
【００７７】
カバー３が開放状態から閉塞状態に変化する過程で、突起部３４は、対向面４１３に対して上側に突出した当接部５６に当接し、当接部５６を下側に押圧する。当接部５６が押圧されて第１位置から下側に第３位置まで移動したとき、当接片５６Ａの上端部と対向面４１３とが略同一位置に配置される。当接部５６が第３位置まで移動した状態では、ロック部材５はアンロック位置で維持されている。カバー３が更に下方に移動すると、当接部５６は第３位置から下側に第２位置まで移動する。当接部５６が第２位置に到達すると、ロック部材５はアンロック位置からロック位置に切り替わる。カバー３が更に下方に移動して閉塞状態となった場合、当接部５６は第３位置よりも更に下側に移動した位置に配置され、ロック部材５はロック位置で維持される。
【００７８】
＜変形例の主たる作用、効果＞
変形例における印刷装置１では、カバー３が開放状態のときに当接部５６が対向面４１３よりも上側に突出するので、カバー３が閉塞状態に変化する過程で突起部３４を当接部５６に確実に当接させ、当接部５６を確実に押圧できる。ロック部材６についても同様である。従って、印刷装置１は、ロック部材５，６をアンロック位置からロック位置に適切に切り替えることができる。
【００７９】
当接部５６が第１位置から第３位置まで移動する間、ロック部材５、６はアンロック位置に維持される。一方、当接部５６が第３位置から第２位置に移動することに応じ、ロック部材５、６はアンロック位置からロック位置に切り替わる。この場合、例えばユーザが当接部５６に接触することで、当接片５６Ａの上端部と対向面４１３とが同一高さとなるまで当接部５６が移動した場合でも、ロック部材５、６はアンロック位置で維持される。このため、印刷装置１は、ロック部材５，６が意図せずロック位置に移動することを抑制できる。
【００８０】
＜その他の変形例＞
本発明は上記実施形態に限定されず、種々の変更が可能である。一対の支持部４は、何れか一方が左右方向に移動可能であってもよい。例えば、支持部４１のみ左右方向に移動可能とし、支持部４６は収容部２４に固定されていてもよい。この場合、一対の支持部４のうち移動可能な支持部４１にのみロック部材５が設けられ、支持部４６にロック部材６は設けられていなくてもよい。係合部５３、５４は、本体部２の内壁に設けられていてもよい。
【００８１】
第１ロック部材５１は、付勢部材４５によって付勢されなくてもよい。例えば第１ロック部材５１は、カバー３が閉塞した状態から開放した状態に変化する過程で、自重によって、ロック位置からアンロック位置まで時計回り方向に揺動してもよい。この場合、付勢部材４５は設けられなくてもよい。
【００８２】
ロック部材５は、第１ロック部材５１と第２ロック部材５２とが一体化された構造を有していてもよい。具体的には、第１ロック部材５１の連結部５７の先端に、第２ロック部材５２と被係合部５９とが直接接続されてもよい。又は、ロック部材５は、上下方向に移動可能な当接部、及び、当接部の下端部に設けられた被係合部のみ有する構成であってもよい。この場合、カバー３の閉塞に応じて突起部３４、３５が当接部を下方に押すことで被係合部が係合部５３、５４に係合してもよい。当接部５６の当接片５６Ａの形状は、上記実施形態に限定されない。当接片５６Ａは、弾性変形可能な材料（ゴム等）によって形成されていてもよい。当接部５６に当接片５６Ａが設けられていなくてもよい。対向面４１３に凹部４１０Ｂは設けられなくてもよい。なお、当接部５６は支持部４１の第２面Ｐ１２側に配置され、当接部５６の第１面Ｐ１１側には内側面４１１が設けられる。このため、ロールＭの装着時、ロールＭやユーザの指は、当接部５６に接触する前に内側面４１１に接触する。従って、対向面４１３に凹部４１０Ｂが設けられていない場合でも、ユーザの指やロールＭが当接部５６に接触することを内側面４１１により抑制できる。なお、支持部４６についても同様である。
【００８３】
支持部４１に設けられる指掛け部４１０Ａ、及び、支持部４６に設けられる指掛け部４６０Ａのそれぞれの形状は、上記実施形態に限定されないことは言うまでもない。指掛け部４１０Ａ、４６０Ａは、それぞれ、内側面４１１、４６１に設けられた複数の小さい円形の窪みであってもよい。又、指掛け部４１０Ａ、４６０Ａには、ユーザが指で操作する時に滑り難い材料（例えば、摩擦係数の大きい材料（ゴム板等））が貼り付けられていてもよい。
【００８４】
＜その他＞
支持部４１、４６は、本発明の「移動支持部」の一例である。左右方向は、本発明の「第１方向」の一例である。上下方向は、本発明の「第２方向」の一例である。上側は、本発明の「第２方向の一方側」の一例である。
【符号の説明】
【００８５】
１        ：印刷装置
２        ：本体部
３        ：カバー
４        ：一対の支持部
５、６        ：ロック部材
２０      ：開口部
２４      ：収容部
３４、３５      ：突起部
４３Ｂ、４８Ｂ    ：接触面
４４Ｃ    ：支軸
４５      ：付勢部材
５１、６１      ：第１ロック部材
５２、６２      ：第２ロック部材
５３、５４      ：係合部
５６      ：当接部
５６Ａ    ：当接片
５９      ：被係合部
４１０Ａ、４６０Ａ  ：指掛け部
４１０Ｂ、４６０Ｂ  ：凹部
４１３、４６３    ：対向面
４１５、４６５    ：傾斜部
Ｍ        ：ロール
Ｐ１１、Ｐ２１    ：第１面
Ｐ１２、Ｐ２２    ：第２面
【図１】
2019181764.tif 000003
【図２】
2019181764.tif 000004
【図３】
2019181764.tif 000005
【図４】
2019181764.tif 000006
【図５】
2019181764.tif 000007
【図６】
2019181764.tif 000008
【図７】
2019181764.tif 000009
【図８】
2019181764.tif 000010
【図９】
2019181764.tif 000011
【図１０】
2019181764.tif 000012
【図１１】
2019181764.tif 000013
【図１２】
2019181764.tif 000014
【図１３】
2019181764.tif 000015